(57)【特許請求の範囲】
【請求項１】
被取付面に取り付けられ、前記被取付面に対向する被照射面に向う方向である下方を照明する照明器具であって、
中央に開口が設けられる器具本体と、
前記器具本体の前記開口の内側に位置する給電部に接続されると共に、前記器具本体の前記開口から下方に突出するように垂れ下がる電線と、
前記器具本体の下側に設けられると共に、前記電線を経由して給電されて発光する主光源と、
前記器具本体の下側に設けられ、前記主光源よりも前記器具本体の前記開口側に位置すると共に、垂れ下がる前記電線の下方部分よりも前記被取付面側に設けられた常夜灯と、
前記常夜灯と前記電線との間において、前記常夜灯と一体に、または別体で設けられた、前記電線に照射される前記常夜灯からの光を遮る高さの遮光部材としての壁部材と、
を有する照明器具。
【請求項２】
請求項１に記載の照明器具において、
前記常夜灯の光出射面は、下方から見た平面視において略矩形の外形を有し、
前記壁部材は、前記光出射面の前記略矩形の外形における前記電線側の辺に沿って設けられる照明器具。
【請求項３】
請求項１に記載の照明器具であって、
前記常夜灯の光出射面は、下方から見た平面視において略矩形の外形を有し、
前記壁部材は、前記光出射面の前記略矩形の外形における前記電線側の辺に沿って設けられる部分と、前記電線側の辺の両端に連接し、かつ前記電線側の辺に直交する一対の辺の各々における一部まで回り込んで設けられる側壁と、を有し、前記側壁は、下方に向って、前記側壁の幅が減少する先細り形状である照明器具。
【請求項４】
請求項２または請求項３に記載の照明器具において、
前記壁部材の、前記常夜灯側の面である内面が反射面である照明器具。
【請求項５】
請求項２ないし請求項４のうちのいずれか１項に記載の照明器具において、
前記主光源は、所定の配光角を有し、
前記壁部材の下端は、前記主光源から出射される、前記所定の配光角の範囲の光を遮らない位置にある照明器具。
【請求項６】
請求項２ないし請求項５のいずれか１項に記載の照明器具において、
前記常夜灯は、
常夜灯光源を収容する、不透光性の筒状の部分を有し、かつ前記筒状の部分の下端が、前記常夜灯光源の下端よりも下方に位置する常夜灯収容部と、
前記常夜灯収容部の、前記筒状の部分の下端の開口に蓋をする部分と、
を有し、
前記筒状の部分の下端の開口に蓋をする部分の下面が、前記常夜灯の前記光出射面となり、
前記常夜灯収容部の前記筒状の部分の一部が前記壁部材となる照明器具。
【請求項７】
請求項６に記載の照明器具において、
前記常夜灯収容部における前記筒状の部分を上下方向に沿って切断した断面図において、前記筒状の部分の、前記電線に近い側に位置する壁部の下端は、前記電線から遠い側の壁部の下端よりも下方に位置し、
前記筒状の部分の下端の開口に蓋をする部分の下面は、前記電線に近い側に位置する壁部の下端から、前記電線から遠い側の壁部の下端に向かって斜め上方に傾斜する傾斜面である照明器具。
【発明の詳細な説明】
【技術分野】
【０００１】
本発明は、器具本体の下面に主光源と常夜灯を有する照明器具に関するものである。
【背景技術】
【０００２】
従来より、器具本体の下面に主光源と常夜灯を有する照明器具が知られている（例えば、特許文献１参照）。
図１２に示すように、照明器具１００は、例えば、器具本体１０１と、この器具本体１０１に装着される環状蛍光ランプ１０２と、器具本体１０１に装着され環状蛍光ランプ１０２を覆うセード１０３と、遠隔制御するリモコン受信部ユニット１０４等を有する。
【０００３】
また、リモコン受信部ユニット１０４には、常夜灯１０５が設けられている。常夜灯１０５はＬＥＤにより構成され、リモコン受信部ユニット１０４に一体的に設けられて、リモコン受信部ユニット１０４の下面部に配置されている。
これにより、常夜灯１０５を、リモコン受信部ユニット１０４に一体的に設けたので、常夜灯１０５専用の支持体や反射板等が必要なく、部品点数を減少して、器具の組み立て作業を容易化している。
【先行技術文献】
【特許文献】
【０００４】
【特許文献１】特開２００３−２４２８０８号公報（第３図）
【発明の概要】
【発明が解決しようとする課題】
【０００５】
しかしながら、蛍光ランプのような主光源側に、電線が垂れ下がる場合がある。
このような場合に、常夜灯の光が電線に照射されると、セードの一部に電線の影が映るので、外観上問題である。
【０００６】
本発明は、従来の問題を解決するためになされたもので、常夜灯を点灯させた際に、垂れ下がっている電線の影が映るのを防止できる照明器具を提供することを目的とする。
【課題を解決するための手段】
【０００７】
本発明の照明器具は、被取付面に取り付けられ、前記被取付面に対向する被照射面に向う方向である下方を照明する照明器具であって、中央に開口が設けられる器具本体と、前記器具本体の前記開口の内側に位置する給電部に接続されると共に、前記器具本体の前記開口から下方に突出するように垂れ下がる電線と、前記器具本体の下側に設けられると共に、前記電線を経由して給電されて発光する主光源と、前記器具本体の下側に設けられ、前記主光源よりも前記器具本体の前記開口側に位置すると共に、垂れ下がる前記電線の下方部分よりも前記被取付面側に設けられた常夜灯と、前記常夜灯と前記電線との間において、前記常夜灯と一体に、または別体で設けられた、前記電線に照射される前記常夜灯からの光を遮る高さの遮光部材としての壁部材と、を有するものである。
【０００８】
また、本発明の照明器具は、前記常夜灯の光出射面は、下方から見た平面視において略矩形の外形を有し、前記壁部材は、前記光出射面の前記略矩形の外形における前記電線側の辺に沿って設けられるものである。
【０００９】
また、本発明の照明器具は、前記常夜灯の光出射面は、下方から見た平面視において略矩形の外形を有し、前記壁部材は、前記光出射面の前記略矩形の外形における前記電線側の辺に沿って設けられる部分と、前記電線側の辺の両端に連接し、かつ前記電線側の辺に直交する一対の辺の各々における一部まで回り込んで設けられる側壁と、を有し、前記側壁は、下方に向って、前記側壁の幅が減少する先細り形状であるものである。
【００１０】
また、本発明の照明器具は、前記壁部材の、前記常夜灯側の面である内面が反射面であるものである。
【００１１】
また、本発明の照明器具は、前記主光源は、所定の配光角を有し、前記壁部材の下端は、前記主光源から出射される、前記所定の配光角の範囲の光を遮らない位置にあるものである。
【００１２】
また、本発明の照明器具は、前記常夜灯は、常夜灯光源を収容する、不透光性の筒状の部分を有し、かつ前記筒状の部分の下端が、前記常夜灯光源の下端よりも下方に位置する常夜灯収容部と、前記常夜灯収容部の、前記筒状の部分の下端の開口に蓋をする部分と、を有し、前記筒状の部分の下端の開口に蓋をする部分の下面が、前記常夜灯の前記光出射面となり、前記常夜灯収容部の前記筒状の部分の一部が前記壁部材となるものである。
【００１３】
さらに、本発明の照明器具は、前記常夜灯収容部における前記筒状の部分を上下方向に沿って切断した断面図において、前記筒状の部分の、前記電線に近い側に位置する壁部の下端は、前記電線から遠い側の壁部の下端よりも下方に位置し、前記筒状の部分の下端の開口に蓋をする部分の下面は、前記電線に近い側に位置する壁部の下端から、前記電線から遠い側の壁部の下端に向かって斜め上方に傾斜する傾斜面であるものである。  
【発明の効果】
【００１４】
本発明は、光出射面と電線との間に遮光性を有する遮光部材を設けたので、光出射面から発せられた常夜灯の光は遮光部材に遮られて、電線に照射されない。これにより、常夜灯を点灯させたときに、電線の影が生じるのを防止できるという効果を有する照明器具を提供できる。
【図面の簡単な説明】
【００１５】
【図１】（Ａ）は本発明に係る第１実施形態の照明器具の断面図であり、（Ｂ）は下方から見た底面図
【図２】本発明に係る第１実施形態の照明器具の分解斜視図
【図３】本発明に係る第１実施形態の照明器具のパネルを外した状態を下方から見た下面図
【図４】図２中ＩＶ部分の拡大図
【図５】図２中Ｖ部分の拡大図
【図６】（Ａ）は照明器具の断面図であり、（Ｂ）は（Ａ）中Ｂ部分の拡大図
【図７】常夜灯の照射光を壁部材が遮る上下方向の範囲を示す断面図
【図８】ロアーユニットの照射範囲と壁部材の高さとの関係を示す断面図
【図９】常夜灯の照射光を壁部材が遮る水平方向の範囲を示す説明図
【図１０】本発明に係る第２実施形態の照明器具における壁部材を示す図３相当の下面図
【図１１】（Ａ）は本発明に係る第３実施形態の照明器具における要部拡大断面図であり、（Ｂ）変形例を示す要部拡大図
【図１２】従来の常夜灯を有する照明器具の断面図
【発明を実施するための形態】
【００１６】
（第１実施形態）
以下、本発明に係る第１実施形態の照明器具について、図面を用いて説明する。
なお、以下の説明においては、照明器具を被取付面に取り付けて下方を照明する場合について説明する。従って、特に示す場合を除き、上（上方、上側等）は天井面側を意味し、下（下方、下側等）は床面側を意味する。
【００１７】
図１（Ａ）および（Ｂ）に示すように、本発明に係る第１実施形態の照明器具１０は、被取付部である天井面１１等に取り付けられて主に下方を照明するのに適する。
図２にも示すように、照明器具１０は、天井面１１に取り付けられている引っ掛けシーリング１２に取り付けるための取付部材２１を中央に有する例えば円板状の器具本体２０を有する。
なお、器具本体２０の外周には、円環状の枠体２２が設けられており、枠体２２には補助光源７０が設けられている。
【００１８】
器具本体２０の上側（すなわち、天井面１１側）には、アッパーユニット３０、上枠３２および上カバー３１が設けられている。
また、器具本体２０の下側（すなわち、照明方向側）には、主光源であるロアーユニット４０およびロアーユニット４０用の光学部材であるレンズ６０が設けられている。
【００１９】
図３に示すように、器具本体２０の中央の開口２０３に設けられる取付部材に２１は、引っ掛けシーリング１２から電力の供給を受ける給電部を兼ねている。
このため、取付部材２１には、アッパーユニット３０やロアーユニット４０等の各光源に接続するためのコネクタ電線（電線）２１１が接続されている。このコネクタ電線２１１は、器具本体２０の開口２０３から下方に突出する場合がある（図６（Ａ）参照）。
【００２０】
図２および図６（Ａ）に示すように、ロアーユニット４０は、器具本体２０の円形を複数個（ここでは、例えば４個）に分割した部分円弧状の基板４１を有しており、各基板４１には、複数のＬＥＤ４２が実装されている。
各ロアーユニット４０は、下方に向けて光を照射する。
【００２１】
図２に示すように、ロアーユニット４０の前方には、ロアーユニット４０が発した光を受けて光を拡散する透光性のパネル５０が設けられている。
パネル５０は、下方に湾曲した曲面形状をしている。
【００２２】
図１および図２に示すように、枠体２２は円環状をしており、内部にはパネル５０が嵌まる空間２２１を有する。
枠体２２の表面２２２は、中心に向かって下方へ傾斜しており、所定間隔（ここでは、中心角１２０度）で、補助光源７０用の開口部２２３が設けられている。開口部２２３は、枠体２２の外形に対応して、湾曲して設けられている。
また、枠体２２の表面２２２には、センサ用開口２２４、動作表示ランプ用開口２２５および状態表示ランプ用開口２２６が設けられている。
なお、センサ２４１、動作表示ランプ２４２および状態表示ランプ２４３は、器具本体２０に取り付けられているブラケット２４に取り付けられている（図２参照）。
【００２３】
図４に示すように、補助光源７０は、ＬＥＤ７１を実装した基板７２と、基板７２を取り付ける取付板７３と、ＬＥＤ７１の前方を覆う補助光源用レンズ７４を有する。
基板７２、取付板７３および補助光源用レンズ７４は、枠体２２の外形（円形）に合わせて湾曲している。
また、補助光源用レンズ７４の表面７４１は、枠体２２の表面２２２に沿った形状として、枠体２２の表面２２２から突出しないようにする。
【００２４】
図５に示すように、アッパーユニット３０は、ＬＥＤ３３を実装する基板３４と、基板３４を器具本体２０の上面に取り付けるための取付具３５と、ＬＥＤ３３の前面を覆うレンズ３６を有する。
取付具３５は全体Ｌ字形状をしており、基板３４およびレンズ３６を、器具本体２０の上面に直交するように取り付ける。
従って、ＬＥＤ３３からの光は、器具本体２０の上面と平行に外側へ向けて出射される。
【００２５】
図３および図６（Ａ）、（Ｂ）に示すように、器具本体２０の下面２０２におけるロアーユニット４０の取付部材２１側には、常夜灯２３が設けられており、ランプ２３２（図６（Ｂ）参照）の光を下方へ照射する光出射面２３１が下方に露出している。
なお、光出射面２３１は、器具本体２０の下面２０２から下方に突出していてもよいし、同一面あるいは凹んでいてもよい。
【００２６】
常夜灯２３の光出射面２３１と取付部材２１から垂れ下がるコネクタ電線２１１との間には、遮光性を有する壁部材（遮光部材）２５が設けられている。
壁部材２５は、コネクタ電線２１１に照射される常夜灯２３からの光を遮る高さを有する。
すなわち、図７に示すように、光出射面２３１から出射された光ＬＢ１がコネクタ電線２１１に当たらないように、壁部材２５の高さを設定する。
さらに、図８に示すように、壁部材２５の高さを、ロアーユニット４０の配光角度θを遮らない高さに設定する。
【００２７】
また、図９に示すように、壁部材２５の幅および形状は、コネクタ電線２１１に照射される常夜灯２３からの光ＬＢ２を遮る幅および形状に設定する。
ここでは、光出射面２３１が略矩形状であり、光出射面２３１におけるコネクタ電線２１１側の辺２３３に沿って壁部材２５を設けて、コネクタ電線２１１に照射される光を遮っている。
壁部材２５には、辺２３３に直交する方向まで回り込んだ側壁２５２が連続して設けられているが、側壁２５２は先端（下端）向かって先細り形状となっている（図６（Ｂ）参照）。
これにより、光を遮る範囲を必要最小限にすることができる。
【００２８】
壁部材２５は遮光性を有するとともに、常夜灯２３側の面は反射面２５１（図９参照）となっている。
壁部材２５は、遮光性のある樹脂で形成して、反射面２５１は光を反射するように鏡面処理等をすることができる。あるいは、光を反射する金属で形成して、反射面２５１と反対側を塗装処理することもできる。
【００２９】
以上、説明した本発明に係る第１実施形態の照明器具１０によれば、ロアーユニット４０が取り付けられる器具本体２０の開口２０３から下方にコネクタ電線２１１が突出しており、下面２０２には、常夜灯２３の光出射面２３１が取り付けられている。
そして、光出射面２３１とコネクタ電線２１１との間に遮光性を有する壁部材２５を設けたので、光出射面２３１から発せられた常夜灯２３の光は、壁部材２５に遮られて、コネクタ電線２１１まで照射されない。
これにより、常夜灯２３を点灯させたときに、コネクタ電線２１１の影が生じるのを防止できる。
【００３０】
また、本発明の照明器具１０では、壁部材２５は、コネクタ電線２１１に照射される常夜灯２３からの光を遮る高さを有するので、常夜灯２３を点灯させたときに、コネクタ電線２１１の影が生じるのを防止できる。
【００３１】
また、本発明の照明器具１０では、光出射面２３１が略矩形状であり、壁部材２５が光出射面２３１におけるコネクタ電線２１１側の辺に沿って設けられている。
このため、常夜灯２３を点灯させたときに、小さな壁部材２５でコネクタ電線２１１の影が生じるのを防止できる。
【００３２】
また、本発明の照明器具１０では、壁部材２５の常夜灯２３側の面が反射面２５１になっているので、壁部材２５に照射された常夜灯２３の光を下方へ反射する。
このため、常夜灯２３の配光効率が向上する。
【００３３】
また、本発明の照明器具１０では、壁部材２５の幅および形状が、コネクタ電線２１１に照射される常夜灯２３からの光を遮る幅および形状を有するので、常夜灯２３を点灯させたときに、コネクタ電線２１１の影が生じるのを防止できる。
【００３４】
さらに、本発明の照明器具１０は、壁部材２５の高さが、ロアーユニット４０の配光角度θを遮らない高さであるので、ロアーユニット４０の配光効率を低下させない。
【００３５】
（第２実施形態）
次に、本発明に係る第２実施形態の照明器具について、図面を用いて説明する。
なお、前述した第１実施形態に係る照明器具１０と共通する部位には同じ符号を付して、重複する説明を省略することとする。
図１０に示すように、第２実施形態の照明器具１０Ｂにおいては、常夜灯２３とコネクタ電線２１１の間に、常夜灯２３とは別体の平板状の壁部材２５Ｂを設けた。
【００３６】
このようにしても、前述した第１実施形態の照明器具１０と同様の作用・効果を得ることができる。
【００３７】
（第３実施形態）
次に、本発明に係る第３実施形態の照明器具について、図面を用いて説明する。
なお、前述した第１実施形態に係る照明器具１０と共通する部位には同じ符号を付して、重複する説明を省略することとする。
【００３８】
図１１（Ａ）に示すように、第３実施形態の照明器具１０Ｃにおいては、光出射面２３１Ｃが器具本体２０の下面２０２から下方に突出している。
この場合、光照射面２３１Ｃは、コネクタ電線２１１の器具本体２０の下面２０２から下方に突出した高さＨ１よりも高いかもしくは、等しい高さＨ２で突出していてもよい（Ｈ１≦Ｈ２）。
すなわち、コネクタ電線２１１の器具本体２０の下面２０２から下方に突出した高さＨ１よりも高いかもしくは、等しい高さＨ２の不透光性で筒状の常夜灯収容部２３４の先端部に透光性の光出射面２３１が蓋をするように設けられた構成を有してもよい。
また、コネクタ電線２１１の器具本体２０の下面２０２から下方に突出した高さよりも高いかもしくは、等しい高さの不透光性で筒状の常夜灯収容部の内部に透光性の光出射面を蓋をするように設けた構成を有してもよい。
【００３９】
あるいは、図１１（Ｂ）に示すように、不透光性で筒状の常夜灯収容部２３５を斜めに輪切りにして、この常夜灯収容部２３５の背の高い箇所を、コネクタ電線２１１の器具本体２０の下面２０２から下方に突出した高さＨ１よりも高いかもしくは、等しい高さＨ３とする。
そして、この常夜灯収容部２３５の先端開口部の傾斜面に光出射面２３１Ｃを、蓋をするように設けることで、背の高い箇所から器具本体２０の下面２０２に向かって傾斜して光出射面２３１Ｃを設けて、光出射面２３１Ｃがコネクタ電線２１１側に向かないように配置してもよい。
【００４０】
以上、説明した本発明に係る第３実施形態の照明器具１０Ｃによれば、筒状の常夜灯収容部によって、常夜灯が放つ光がコネクタ電線に照射されることを防止でき、その結果、コネクタ電源の不快な影が透光性のパネルに照射されることを防止でき、常夜灯点灯時の外観品質を向上することができる。
なお、ここでいう「等しい高さ」とは、パネルにコネクタ電線の影が出ない程度に、わずかに低い高さをも含むものである。
【００４１】
なお、本発明の照明器具は、前述した各実施形態に限定されるものでなく、適宜な変形、改良等が可能である。
例えば、前述した各実施形態においては、取付部材２１からコネクタ電線２１１が垂れ下がっている場合を例示したが、本発明は、これ以外の位置で垂れ下がる電線の場合にも適用可能である。
【符号の説明】
【００４２】
１０  照明器具
１１  天井面（被取付部）
２０  器具本体
２０２  下面（主光源取付面）
２０３  開口
２１１  コネクタ電線（電線）
２３  常夜灯
２３１、２３１Ｃ  光出射面
２３２  ランプ（常夜灯光源）
２３３  辺
２３４、２３５  常夜灯収容部
２５  壁部材（遮光部材）
２５１  反射面
４０  ロアーユニット（主光源）
θ  配光角度
【図１】
0005887551.tif 000002
【図２】
0005887551.tif 000003
【図３】
0005887551.tif 000004
【図４】
0005887551.tif 000005
【図５】
0005887551.tif 000006
【図６】
0005887551.tif 000007
【図７】
0005887551.tif 000008
【図８】
0005887551.tif 000009
【図９】
0005887551.tif 000010
【図１０】
0005887551.tif 000011
【図１１】
0005887551.tif 000012
【図１２】
0005887551.tif 000013